(57)【特許請求の範囲】
【請求項１】
変圧器中身を分解して現地に輸送し、現地において分解された変圧器中身を再組立てする分解輸送変圧器の現地組立方法において、現地組立箇所の基礎面上にクリーンハウスを設置し、このクリーンハウス内に分解輸送されてきた変圧器中身を搬入して組立てを行って変圧器本体を完成させ、その後、完成させた変圧器本体をクリーンハウスから現地据付箇所の基礎面上に移動した後、前記クリーンハウス内に分解輸送されてきた他の変圧器中身を搬入して前記組立てられた変圧器本体と同様な組立作業を行うことを特徴とする分解輸送変圧器の現地組立方法。
【請求項２】
変圧器中身を分解して現地に輸送し、現地において分解された変圧器中身を再組立てする分解輸送変圧器の現地組立方法において、天井面に開放自在な天井カバーと端面に端面カバーとを設けたクリーンハウスを現地組立箇所の基礎面上に設置し、このクリーンハウス内に前記天井カバーを開放して分解輸送されてきた変圧器中身を搬入し、次に、前記天井カバーを閉じて搬入された変圧器中身の組立てを行って変圧器本体を完成させ、その後、完成させた変圧器本体を前記端面カバーを開いて現地据付箇所の基礎面上に移動した後、前記天井カバーを開放して前記クリーンハウス内に分解輸送されてきた他の変圧器中身を搬入して前記組立てられた変圧器本体と同様な組立作業を行うことを特徴とする分解輸送変圧器の現地組立方法。
【請求項３】
前記クリーンハウスは、端面に端面カバーを有し、この端面カバーを開放してトレーラを前記クリーンハウス内に移動して搭載した変圧器中身を搬入するようにしたことを特徴とする請求項１記載の分解輸送変圧器の現地組立方法。
【請求項４】
分解輸送されてきた変圧器中身をクレーンにより前記クリーンハウス内に搬入するようにしたことを特徴とする請求項１記載の分解輸送変圧器の現地組立方法。
【発明の詳細な説明】
【０００１】
【発明の属する技術分野】
本発明は変圧器を現地組立の際に必要な機材であるクリーンハウスを使用した分解輸送変圧器の現地組立方法に関わるものである。
【０００２】
【従来の技術】
近年電力需要の増大に伴ない、送変電用に使用される変圧器も高電圧・大容量化してきており、更に地価の高騰により変圧器も輸送条件が一段と厳しい山間地や都心の地下等に据付けられる傾向にある。その為、変圧器の輸送寸法や質量及び据付スペースの大幅な低減が必要となっている。
【０００３】
従来、このような場所に設置される変圧器に対しては、例えば三相変圧器の場合、３台の単相変圧器として構成して分割輸送し、現地で三相一括タンク或いは共通ダクトにより、各々の単相変圧器を接続及び結合して三相結線を行ない三相変圧器として構成する分割輸送変圧器がある。
【０００４】
この場合、鉄道又は船により輸送した後、現地においてトレーラの輸送に対し、大掛りな橋梁の補強を含めた道路補強工事が必要となり、莫大な輸送費が必要となる等の問題がある。
【０００５】
そこで、輸送上の制約が特に厳しい場合には、工場で組立てた変圧器を鉄心脚、上下ヨーク、巻線等を各部分に分割し、現地でこれらを再度組立てる分解輸送変圧器がある。
【０００６】
この方式の場合、最質量の構成物となる鉄心は、分解して輸送される為、総質量１００トンの鉄心でも、２０トン程度のトレーラで輸送が可能となり、輸送上の制約を無くす事が出来ると共に、道路補強なしで輸送が可能となる。
【０００７】
その為、起立させる装置も分解して輸送される為、工場で組立、起立後、再度分解する必要があり、分解輸送変圧器は、一体型輸送変圧器に比べ、現地据付時間が増える傾向にある。
【０００８】
その要因として、分解輸送変圧器の現地組立の際に必要な機材であるクリーンハウスを基礎上に組立て、バンク用の変圧器の組立が終了後、クリーンハウスを解体し、次のバンクの基礎上に移動し再組立を行なう。クリーンハウス等の現地組立に必要な機材の組立、解体、移動、再組立という現地作業を実施している。
【０００９】
【発明が解決しようとする課題】
変圧器の輸送制限としては、一般的に重量制限と寸法制限が主体であり、特に山岳地のトンネルや街中のガードの高さ制限等によって変圧器の構造が決まることが多く、低床式トレーラを使用しても輸送高さ制限をクリアできず、細分に分解した分解輸送変圧器方式とせざるを得なく大掛かりな輸送機材が必要となる。
【００１０】
又、複数台の分解輸送変圧器を組立てる場合は、クリーンハウスの組立、解体、移動、再組立等の多大な現地作業があり、又その現地組立に必要となるクリーンハウス等の機材組立の段取りも増えるという問題があった。尚、分解輸送変圧器の技術として特開平９−８２５３０号公報を挙げることができる。
【００１１】
本発明の目的は、クリーンハウスの現地組立時間を低減し、現地作業を容易に行なうことが出来る分解輸送変圧器の現地組立方法を提供する。
【００１２】
【課題を解決するための手段】
上記の目的を達成するために、本発明は、クリーンハウス内のタンク内において鉄心、巻線と、内部部品等の変圧器中身を組立後、タンクに上タンクを被せて１バンク目の変圧器本体を完成後、変圧器本体をクリーンハウス側面の開口部より据付位置の基礎面上に据付けた後、次にクリーンハウス内で２バンク目の変圧器を１バンク目の変圧器本体同様な組立て作業を行うことにより、繰り返しクリーンハウスを使用し、分解輸送変圧器の現地組立時間を低減することを特徴とする。
【００１３】
【発明の実施の形態】
以下、本発明の実施例を図１から図５により説明する。図１から図３は同一変電所内に２バンクの分解輸送変圧器を納入し、現地にて再組立を行なう場合であり、図４及び図５はクリーンハウスの構造及びクリーンハウス内における分解輸送変圧器の組立ての一部を示すものである。
【００１４】
図１ないし図５において、変電所内の配置図には１バンク目の分解輸送変圧器を組立てる現地組立箇所２Ａ及び現地据付箇所２Ｂを有し、これらの箇所の一側には構内道路を設けている。現地組立箇所２Ａと対向する構内道路に停車している輸送トレーラ３の輸送専用タンク５内には、分解輸送変圧器を工場にて各部品例えば鉄心６、巻線７、内部部品８例えば鉄心締付金具、タンク９等の変圧器中身１０の部品を取付毎に収納し、現地に搬入される。
【００１５】
現地組立箇所２Ａに設けた基礎面１Ａ上にクリーンハウス１２を組立てる。基礎面１Ａはコンクリートにより固められて形成されている。図４に示すクリーンハウス１２は長手方向Ｌの側面とこの直角方法の端面Ｄとの隅角部の各々に設けた支持柱と、各支持柱の上部間を連結する連結棒とから成る枠部１３を構成している。基礎面１Ａ上に支持された枠部１３にビニールよりなる天幕１４を被う。
【００１６】
天幕１４の天井側は開閉自在のジャバラよりなる天井カバー１５になっており、天井カバー１５を矢印で示す左右方向に移動すれば、形成した開口部１６よりクリーンハウス１２内に変圧器中身１０の部品を搬入できる。クリーンハウス１２の端面Ｄには左右に開く端面カバー１７を設けている。
【００１７】
一方側の端面カバー１７及び側面の外側にはクリーンハウス１２内における空気を乾燥する乾燥発生装置１８を配置している。クリーンハウス１２内は図５に示すように左右の組立台２０間に鉄心６、巻線７、内部部品例えば鉄心締付金具８、下タンク９等の変圧器中身１０を配置している。
【００１８】
輸送専用タンク５とクリーンハウス１２との間に組立クレーン５Ａを設置する。組立クレーン５Ａは輸送専用タンク５とクリーンハウス１２との間を回動する。輸送専用タンク５内の変圧器中身１０の部品を保持した組立クレーン５Ａを、天井カバー１５を移動し形成した開口部１６よりクリーンハウス１２内に順次搬入する。
【００１９】
クリーンハウス１２内は図５に示す左右の組立台２０間に下タンク９を配置し、下タンク９内の下部側に鉄心締付金具８を配置し、鉄心締付金具８間に鉄心６を起立し、鉄心６に巻線７を挿入して変圧器中身１０を組立てる。変圧器中身１０の組立中には乾燥発生装置１８からの乾燥した空気を矢印方向の鉄心締付金具８に供給して、変圧器中身１０を乾燥して湿気から防止する。変圧器中身１０を完成した後、下タンク９に上タンク(図示せず)を被せて１バンク目の変圧器本体１１を完成する。
【００２０】
１バンク目の変圧器本体１１はクリーンハウス２の端面カバー１７を開放して、図２に示すように現地据付箇所２Ｂのバンクの基礎面１Ｂ上に移動する。１バンク目の変圧器本体１１を移動した現地据付箇所２Ｂには、図３に示すように外部品を組立てるクレーン５Ａを設置し、変圧器本体１１に外部品例えばク―ラ１９を取付け、取付け仕上げ作業を行なう。１９Ａは巻線７からの口出線である。
【００２１】
また１バンク目の変圧器本体１１が移動した後の現地組立箇所２Ａに設置してあるクリーンハウス１２の端面カバー１７を閉じる。クリーンハウス１２内には、図３のように２バンク目の変圧器中身１０Ｂを１バンク目の変圧器中身１０と同じよう組立て、２バンク目の変圧器本体を完成する。
【００２２】
このように本実施例の構成によれば、１個のクリーンハウス１２を利用して組立てた１バンク目の変圧器本体１１を現地据付箇所２Ｂに移動後、空所になったクリーンハウス１２内に２バンク目の変圧器本体を組立てるようにしたので、１個のクリーンハウス１２を何回も繰り返し使用することができ、クリーンハウス１２の解体、移動、再組立等の作業及びその機材の段取を軽減することが出来、分解輸送変圧器の現地再組立作業期間を短縮することが出来る。
【００２３】
又クリーンハウス１２には天井に開閉自在な天井カバー１５を設けて、天井カバー１５を開放した開口部１６より変圧器中身１０，１０Ｂの部品を搬入及び搬出できるので、例えばクリーンハウス１２の側面に開閉自在なカバーを設けた場合に比べて、組立台２０等が邪魔にならず変圧器中身を搬入及び搬出が容易にできる。
【００２４】
更に、組立クレーン５Ａは輸送専用タンク５とクリーンハウス１２との間を回動できるようにして、変圧器中身１０，１０Ａの部品又は変圧器本体１１の搬入及び搬出を最短距離で移動きるので、組立クレーン５Ａの操作がしやすい。
【００２５】
次に、図６及び図７により他の実施例を説明する。
【００２６】
クリーンハウス１２の端面に設けた開閉自在な端面カバー１７を開放し、開口部より、クリーンハウス外に配置されたタンク９、鉄心６、巻線７、下タンク９等の変圧器中身１０を搭載した輸送トレーラ３をクリーンハウス１２内に移動することにより、組立クレーン５Ａを頻繁に使用することなく、変圧器中身１０の部品をクリーンハウス１２に運搬することができるので、搬入作業を容易にすることができる。
【００２７】
【発明の効果】
以上のように本発明によれば、複数の分解輸送変圧器の現地組立する際に、１個のクリーンハウスを何回も繰り返し使用することで、クリーンハウスの解体、移動、再組立等の作業及びその機材の段取を軽減し、分解輸送変圧器の現地組立作業期間を短縮することが出来る。
【図面の簡単な説明】
【図１】本発明の実施例である１バンク目の分解輸送変圧器の中身をクリーンハウス内に配置した変電所内の平面図。
【図２】図１の変圧器本体を変電所内の据付箇所に移動する場合を示す平面図。
【図３】図１及び図２の１バンク目及び２バンク目の変圧器本体及び変圧器中身を変電所内に配置した平面図。
【図４】図１に使用したクリーンハウスの斜視図。
【図５】図４のクリーンハウス内における変圧器本体の一部を示す断面図。
【図６】本発明の他の実施例として示したクリーンハウスの斜視図。
【図７】図６のクリーンハウス内における変圧器本体の一部を示す概略断面図。
【符号の説明】
１Ａ…基礎面、１Ｂ…基礎面、６…鉄心、７…巻線、８…鉄心締付金具、９…タンク、１０，１０Ａ…変圧器中身、１１…変圧器本体、１２…クリーンハウス、１５…天井カバー、１６…開口部、１７…端面カバー。
【図１】
0004150172.tif 000002
【図２】
0004150172.tif 000003
【図３】
0004150172.tif 000004
【図４】
0004150172.tif 000005
【図５】
0004150172.tif 000006
【図６】
0004150172.tif 000007
【図７】
0004150172.tif 000008